(57)【要約】【課題】水切り機能を有する側面に水切り用孔が設けられたことを特徴とするペット用餌容器を提供する。【解決手段】ペット用餌容器１は、犬、猫などの小動物をペット用のものであって底部２よりも上部開口部分３は広い上広がりの円形皿状であって、側面に水切り用孔４が複数、縦に切り込み開いている。側面に水切り用孔４が設けられた事を特徴とするペット用餌容器１の素材は耐水性の材料、例えば陶器からなり、側面に水切り用孔４が設けられた事を特徴とする。上記水切り用孔４はこの図では縦長スリットのものであり、断面積が１ｍｍ２以上１０ｍｍ２以下である。この値は犬、猫などの小動物をペットの餌が水切りから落ちない寸法に設定されている。【選択図】図１
2019076078.tif 000002
【特許請求の範囲】
【請求項１】
底部と側壁に囲まれた凹み部を有するペット用餌容器であって、側壁を貫通する水切り用孔が設けられたことを特徴とするペット用餌容器。
【請求項２】
前記水切り用孔の断面積が１ｍｍ２以上１０ｍｍ２以下となされた請求項１に記載のペット用餌容器。
【請求項３】
前記底部は、皿中央部から縁部に向かって立ち上がるようになされた請求項１または請求項２に記載のペット用餌容器。
【発明の詳細な説明】
【技術分野】
【０００１】  本発明は、犬、猫などの小動物をペットとして飼う場合に用いる側面に水切り用孔が設けられた事を特徴とするペット用餌容器に関する発明である。
【背景技術】
【０００２】  上述した犬、猫などの小動物が乳児期、幼児期、老年期、病気時等により固い餌（ドライフード等）を食べられない場合、餌の固さ調整をすることがある。
【発明の概要】
【発明が解決しようとする課題】
【０００３】  固さ調整をする為に、通常のペット用餌容器で固い餌（ドライフード等）を熱湯、湯、水などを含ませ、ふやかせて柔らかくした後に水分を切る時に餌が水分と一緒に流れ落ちてしまうという難点があった。
本発明は、このような従来技術の課題を解決する為になされたもので、側面に水切り用孔が設けられたことを特徴とするペット用餌容器を提供することを目的とする。
【課題を解決するための手段】
【０００４】  本発明の側面に水切り用孔が設けられた事を特徴とするペット用餌器は、口部分に返しがあり、側面に水切り用孔が設けられたことを特徴とする。【０００５】  また、請求項２のペット用餌容器は、請求項１に記載の側面に水切り用孔が設けられたことを特徴とするペット用餌容器において、側面に設けられた餌が落下しない大きさに形成されていることを特徴とする。【０００６】  また、請求項３のペット用餌容器は、請求項１または２に記載の側面に水切り用孔が設けられたことを特徴とするペット用餌容器において、底部は皿中央部から縁部に向かって立ち上がるように形成されていることを特徴とする。
【発明の効果】
【０００７】  本発明の側面に水切り用孔が設けられた事を特徴とするペット用餌容器は、側面の水切り用孔を介して水分を排出する事が出来る。よって、固い餌を水分に浸ける時間の調整により固さの調整をすることも出来き、餌が水分と流れ落ちることも抑制できる。【０００８】  請求項２のペット用餌容器による場合は、孔から餌の落下を防止することが出来る。
【図面の簡単な説明】
【０００９】
【図１】第一実施形態のペット餌容器の斜視図である。
【図２】第一実施形態のペット餌容器の正面図である。
【図３】第一実施形態のペット餌容器の斜視図である。
【図４】第一実施形態のペット餌容器の底面形状をわかりやすくする為の説明図である。
【図５】第一実施形態のペット餌容器の口付き図である。
【図６】第一実施形態のペット餌容器の断面図である。
【図７】第二実施形態のペット餌容器の上から見た図である。
【図８】第二実施形態のペット餌容器の側面から見た斜視図である。
【図９】第二実施形態のペット餌容器の覆い付き上から見た図である。
【図１０】第二実施形態のペット餌容器の覆い付き側面から見た斜視図である。
【発明を実施するための形態】
【実施例】
【００１０】  以下、本発明の第一実施例について図面を参照して説明する。【００１１】  図１は本発明の第一実施形態に係る側面に水切り用孔が設けられたことを特徴とするペット用餌容器の斜視図、図２は正面図，図３は斜視図、図４は底面形状をわかりやすくする為の説明図、図５は口付き図、図６は断面図である。【００１２】  この側面に水切り用孔が設けられたことを特徴とするペット用餌容器１は犬、猫などの小動物をペット用のものであって底部２よりも上部開口部分３は広い上広がりの円形皿状であって、口部分には返し６が有り、側面に水切り用孔４が複数、縦に切り込み開いている。但し、水切り用孔の数は任意に設定する事が出来る。【００１３】  側面に水切り用孔が設けられたことを特徴とするペット用餌容器１の素材は耐水性の材料、例えば陶器からなり、側面に水切り用孔が設けられたことを特徴とするペット用餌容器である。【００１４】  上記水切り用孔４は、この図示例では縦長スリットであり、断面積が１ｍｍ２以上１０ｍｍ２以下、口部分返し６は約２〜３ｍｍのアール状になっている。この値は犬、猫などの小動物をペットの餌が水切りから落ちない寸法に設定されている。但し、スリット、口部分返しの長さ幅共に任意に設定することが出来る。【００１５】  第一実施形態のペット餌容器は、基本的には以上のように構成される。
次にペット餌容器の使用方法について説明する。【００１６】  先ず、ユーザは餌をペット用餌容器１に収容する。収容した餌にお湯、もしくは水等の水分をかけ、餌がふやけたら口部分返し６から餌がこぼれないよう水切り孔４にて水分を切る。【００１７】  このように構成された本実施形態に係る側面に水切り用孔が設けられたことを特徴とするペット用餌容器１による場合には側面に設けられた水切り用孔４を介して水分を排出することが出来き、餌を浸ける時間により餌の固さ調整が出来る。また餌の落下防止することが出来る。【００１８】  第二実施形態のペット餌容器の構成について以下説明する。
図７は上から見た図、図８は側面から見た斜視図、図９は覆い付き上から見た図、図１０は覆い付き側面から見た斜視図である。第一実施形態のペット餌容器と同一の構成要素には、同一符号を付し、詳細な説明を省略する。【００１９】  第二実施形態のペット餌容器は、基本的には以上のように構成される。
次にペット餌容器の使用方法について説明する。【００２０】  第一実施形態のペット餌容器と同様でユーザは餌をペット用餌容器１に収容する。収容した餌にお湯、もしくは水等の水分をかけ、餌がふやけたら口部分返し６から餌がこぼれないよう水切り孔４にて水分を切る。図９の覆い付きでは覆い５により口部分返し６よりさらに餌がこぼれにくい仕組みになっている。【００２１】  尚、側面に水切り用孔４が設けられたことを特徴とするペット用餌容器１の素材に陶器を使用した例を挙げているが、本発明はこれに限らず、樹脂性、アルミ製、ステンレス製、木製などでも良い。【００２２】  また上述した実態形態では円形の餌容器を例に挙げているが、本発明はこれに限らず、例えば図９に示すように上部縁に覆い５を付けたり、容器の形は任意に設定することが出来る。【００２３】  更に、上述した実施形態では水切り用孔４の縦長スリットを例に挙げているが、本発明はこれに限らず餌の落下防止になる孔の大きさであればスリット形状を、円形、三角等他の形状の孔にしても良い。また口部分の返しの形状も任意に設定することが出来る。
【符号の説明】
【００２４】１    餌容器
２    底部
３    側面から上部開口部分
４    水切り用孔
５    覆い
６    口部分返し
【図１】
2019076078.tif 000003
【図２】
2019076078.tif 000004
【図３】
2019076078.tif 000005
【図４】
2019076078.tif 000006
【図５】
2019076078.tif 000007
【図６】
2019076078.tif 000008
【図７】
2019076078.tif 000009
【図８】
2019076078.tif 000010
【図９】
2019076078.tif 000011
【図１０】
2019076078.tif 000012
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
底部と側壁に囲まれた凹み部と前記側壁上端に設けられた口部分返しを有するペット用餌容器であって、前記底部は、皿中央から縁部に向かって立ち上がるようになされ側壁を貫通する水切り用孔を前記口部分返し近傍に設けたことを特徴とするペット用餌容器。
【請求項２】
前記水切り用孔の断面積が１ｍｍ２以上１０ｍｍ２以下となされた請求項１に記載のペット餌容器。